(57)【要約】【課題】加熱調理中に、煮汁の飛び跳ねを防止することができるとともに、蒸気圧によって上蓋が外れる恐れのない、電子レンジ調理用容器を提供すること。【解決手段】食材を収納する容器本体２０と上蓋３０からなり、上蓋３０は、外周内側に、周方向の凹溝３６を具え、上蓋嵌合部の嵌合当て付け面３８には舌片３４が設けられている。電子レンジによる加熱調理時に、容器本体２０内の蒸気圧が一定以上に高まると、上蓋３０が押し上げられ、舌片３４が上向きに開放されることにより、凹溝３６の底から蒸気を排出する。また、上蓋３０が押し上げられた際、煮汁の一部が、舌片３４の周辺から斜め側方に飛び出すだけであるから、煮汁が容器１０の外に飛散するのを防止することができ、電子レンジ内を汚さずに調理することができる。【選択図】図２
2011027276.tif 000002
【特許請求の範囲】
【請求項１】
食材を収納する容器本体と該容器本体に嵌合される上蓋とからなる電子レンジ調理用容器であって、
前記容器本体は、上部に、嵌合当て付け面と上下方向に延びる本体嵌合部とを具え、
前記上蓋は、下部に、嵌合当て付け面と上下方向に延びる上蓋嵌合部とを具え、
前記上蓋の前記嵌合当て付け面に舌片が設けられていることを特徴とする、
電子レンジ調理用容器。
【請求項２】
前記舌片の付け根に少なくとも１つの溝が設けられている、請求項１の電子レンジ調理用容器。
【請求項３】
前記容器本体の前記嵌合当て付け面に凸部が設けられている、請求項１又は２の電子レンジ調理用容器。
【請求項４】
前記舌片の先端部に、前記容器本体の前記嵌合当て付け面に向いた突起が設けられている、請求項１又は２の電子レンジ調理用容器。
【請求項５】
前記上蓋の嵌合当て付け面にドーム状の凸部を具え、該凸部の頂部に舌片が設けられている、請求項１から３いずれかの電子レンジ調理用容器。
【発明の詳細な説明】
【技術分野】
【０００１】
本発明は、生鮮食品や麺類や惣菜等の各種食材を電子レンジにより加熱調理するための容器に関する。
【背景技術】
【０００２】
従来の電子レンジ調理用容器のうち、加熱調理時に発生する蒸気圧を調整する圧力調整機構が設けられている容器として、容器本体、上蓋、及びフランジ付きキャップの３点からなるもののほか、容器本体と上蓋の２点のみからなる容器として、特許文献１のものがある。
【先行技術文献】
【特許文献】
【０００３】
【特許文献１】特許４２６３７６３号公報
【発明の概要】
【発明が解決しようとする課題】
【０００４】
特許文献１の発明では、容器内の蒸気圧が一定限度を超えると、圧力調整機構を構成する容器本体の凸部上面と上蓋の凹部底部との間に隙間が生じ、その隙間を通じて上蓋の凹部底部の蒸気排出孔より蒸気が排出されることで容器内の圧力を調整するようにしている。
【０００５】
しかし、特許文献１の発明では、圧力調整機構を構成する容器本体の凸部上面と上蓋の凹部底部とが密着させられているため、容器内の蒸気圧が一定限度を超えても、圧力調整機構を構成する凸部上面と凹部底部との間に隙間が生じにくく、そのため、容器が蒸気圧に耐えられなくなって、加熱調理中に上蓋が外れ易いという問題があった。
また、容器本体に収納した食材によっては、蒸気排出孔から煮汁が飛び跳ね、電子レンジ内を汚すことがあるという問題も包含していた。
【０００６】
そこで、本発明は、煮汁の飛び跳ねを防止することができるとともに、容器本体に上蓋を嵌合させたときは、確実に開かれる舌片構造を設けることにより、従来の前記課題を解決することができる電子レンジ調理用容器を提供することをその目的とする。
【課題を解決するための手段】
【０００７】
本発明は、食材を収納する容器本体と該容器本体に嵌合される上蓋とからなる電子レンジ調理用容器であって、
前記容器本体は、上部に、嵌合当て付け面と上下方向に延びる本体嵌合部とを具え、
前記上蓋は、下部に、嵌合当て付け面と上下方向に延びる上蓋嵌合部とを具え、
前記上蓋の前記嵌合当て付け面に舌片が設けられていることを特徴とする電子レンジ調理用容器により前記課題を解決した。
なお、請求項２のように、舌片の付け根に少なくとも１つ溝を設け、舌片が開き易くなるようにすると好適である。
また、請求項３のように、容器本体の嵌合当て付け面に凸部を設けておくと、容器本体に上蓋が嵌合されたとき、その凸部により、舌片が確実に開放されるようにすることができる。
さらに、請求項４のように、舌片の先端部に、容器本体の前記嵌合当て付け面に向いた突起を設ければ、上蓋の加工のみで舌片を確実に開放することができる構造にすることができる。
また、請求項５のように、上蓋の嵌合当て付け面にドーム状の凸部を具え、その凸部の頂部に舌片を設ければ、煮汁が飛び跳ねるのをより確実に防止することができる。
【発明の効果】
【０００８】
本発明によると、上蓋の嵌合当て付け面に舌片を設けたので、煮汁が飛び跳ねやすい食材を加熱調理したときでも、舌片が覆いとなって煮汁が容器の外に飛散するのを抑制できるため、電子レンジ内が汚れずに済む。また、煮汁の飛散を防ぎきれなかった場合でも、電子レンジ内の汚れを少なくすることができる。
また、容器本体の嵌合当て付け面に舌片を開くための凸部を設けることで、容器本体に上蓋をぴったり嵌合させても、舌片は強制的に開かれるため、加熱時に発生する蒸気が確実に排出され、上蓋が外れる恐れがない。
さらに、本発明の電子レンジ調理用容器は、容器本体と上蓋という２点の構成部材からなるので、製造コストを低く抑えることができる。
【図面の簡単な説明】
【０００９】
【図１】（Ａ）は本発明の第１実施形態の容器の分解上面図、（Ｂ）は容器の縦断面図。
【図２】（Ａ）と（Ｂ）は、本発明の第１実施形態の容器の嵌合部の拡大縦断面図で、作動の説明図。
【図３】（Ａ）は本発明の第２実施形態の上蓋の上面図、（Ｂ）は舌片及びその周辺の拡大図、（Ｃ）は容器の嵌合部の拡大縦断面図。
【図４】本発明の第２実施形態の容器の嵌合部の変形例の縦断面図。
【図５】（Ａ）は本発明の第３実施形態の上蓋の上面図、（Ｂ）は舌片及びその周辺の拡大上面図、（Ｃ）は容器の嵌合部の拡大縦断面図。
【図６】本発明の第２実施形態の舌片と第３実施形態を組み合わせた容器の嵌合部の拡大縦断面図。
【図７】（Ａ）は本発明の第４実施形態の上蓋の上面図、（Ｂ）は舌片及びその周辺の拡大上面図、（Ｃ）は容器の嵌合部の拡大縦断面図。
【図８】本発明の第２実施形態の舌片と第４実施形態を組合わせた容器の嵌合部の拡大縦断面図。
【図９】（Ａ）は本発明の第５実施形態の上蓋の上面図、（Ｂ）は舌片及びその周辺の拡大上面図、（Ｃ）はｃ−ｃ線での縦断面図。
【発明を実施するための形態】
【００１０】
以下、図を参照しながら本発明の実施形態を説明する。
【００１１】
まず、本発明の第１実施形態について、図１及び図２により説明する。
図１（Ａ）は、本発明の第１実施形態の容器の分解上面図、（Ｂ）は、容器の縦断面図、図２は、容器の嵌合部の拡大縦断面図である。
図１（Ｂ）に示すように、この容器１０は、容器本体２０と上蓋３０からなり、容器本体１０は上部に、上下方向に延びる本体嵌合部２２を具え、上蓋３０は下部に、同様に上下方向に延びる上蓋嵌合部３２を具え、本体嵌合部２２と上蓋嵌合部３２が嵌合されて両者は一体化される。
本体嵌合部２２及び上蓋嵌合部３２には、上下に対向する嵌合当て付け面２４及び３８、その当て付け面から立ち上がる嵌合側面に、凹部２６と凸部３９がそれぞれ設けられているとともに、凹部２６の上には凸部２６’が、凸部３９の上には、凹部３９’がそれぞれ設けられている（図２参照）。
凸部３９が凹部２６と、凸部２６’が凹部３９’とそれぞれ嵌合することにより、凸部３９が凸部２６’により抜け止めされ、容器本体２０と上蓋３０が外れないようになっている。
【００１２】
上蓋３０は、外周内側に、周方向の凹溝３６を具え、上蓋嵌合部３２の嵌合当て付け面３８には舌片３４が設けられている。舌片３４の形状は、図示した形状に限定されず、馬蹄状、円形状、楕円状であってもよく、２つ以上設けてもよい。
電子レンジによる加熱調理時に、容器本体２０内の蒸気圧が一定以上に高まると、上蓋３０が押し上げられ、舌片３４が上向きに開放されることにより、凹溝３６の底から蒸気を排出する。
このようにして、容器内の蒸気の圧力を調整することができるので、密閉した容器を電子レンジによるマイクロ波加熱しても上蓋が外れたりすることはない。
【００１３】
従来の電子レンジ調理用容器では、上蓋が押し上げられた際、通気孔から蒸気を排出するとともに、煮汁も飛び跳ねるが、本発明の容器１０では、図２（Ｂ）に示すように、一部が、舌片３４の周辺から斜め側方に飛び出すだけであるから、煮汁が容器１０の外に飛散するのを防止することができる。
この場合、舌片３４は、上蓋３０の外周側が固定され、中心側が開く構造としておけば、煮汁の噴き出しを内方向に誘導して、容器１０の外に飛散するのを防止することができるばかりでなく、調理後に上蓋３０を開ける際、熱くなった蒸気に指が触れることも防止することができる。
【００１４】
なお、容器本体及び上蓋は、例えば、延伸ポリスチレン（ＯＰＳ）、耐熱延伸ポリスチレン（耐熱ＯＰＳ）、又はポリプロピレン（ＰＰ）等の耐熱性の良好なプラスチック材料を用い、圧空成形や真空成形等のサーモフォーミング法により成形することができる。
【００１５】
次に、図３を参照して、本発明の第２実施形態について、第１実施形態と異なる部分を説明する。
図３（Ａ）は本発明の第２実施形態の上蓋の上面図、（Ｂ）は舌片及びその周辺の拡大上面図、（Ｃ）は容器の嵌合部の拡大縦断面図である。
【００１６】
第１実施形態の容器では、蒸気圧のみによって舌片３４の開放が行われるため、舌片３４が当て付け面３８にぴったりと嵌合されてしまった場合、蒸気の排出が必要な圧力が発生しても、舌片３４を開放できない恐れがある。
そこで、舌片３４を確実に開放するために、図３に示すように、舌片３４の付け根に断面が半円形に盛り上がった、蒲鉾の形状の溝３５を設けた。
【００１７】
この場合、溝３５の形成した後、舌片３４を切り込む際、舌片３４が上向きに開くように加工することで、加熱調理時に舌片３４が開放されない、という事態を未然に防ぐことができる。
なお、図４に示すように、溝３５は複数設けてもよい。複数設けることで、舌片３４がより開放されやすくなる。
【００１８】
以下、図５を参照して、本発明の第３実施形態について、第１実施形態と異なる部分を説明する。
図５（Ａ）は本発明の第３実施形態の上蓋の上面図、（Ｂ）は舌片及びその周辺の拡大上面図、（Ｃ）は容器の嵌合部の拡大縦断面図である。
【００１９】
図５に示すように、嵌合当て付け面２４に、舌片３４を押し開ける凸部２６を設けることで、舌片３４を常に開放した状態とすることができる。
これにより、蒸気を確実に開放することができるため、加熱調理時に上蓋２０が外れるのを防止することができる。
なお、この場合、図６のように、第２実施形態の溝３５を設けた舌片３４と凸部２６を併用した容器を用いると、舌片３４が開く易くなって好適である。
【００２０】
次に、図７を参照して、本発明の第４実施形態について、第１実施形態と異なる部分を説明する。
図７（Ａ）は本発明の第４実施形態の上蓋の上面図、（Ｂ）は舌片及びその周辺の拡大上面図、（Ｃ）は容器の嵌合部の拡大縦断面図である。
【００２１】
第３実施形態では、嵌合当て付け面２４に凸部２６を設けることで、舌片３４を確実に開放する構造としたが、本実施形態では、舌片３４の先端部に嵌合当て付け面２４方向に向いた突起３７を設けている。このような実施形態にすると、容器本体２０の加工はせずに、上蓋３０を加工するだけで、第３実施形態と同様の効果を得ることができる。
なお、図８のように、第２実施形態の溝３５を設けた舌片３４と突起３７を併用した容器を用いてもよい。
【００２２】
最後に、図９を参照して、本発明の第５実施形態について、第１実施形態と異なる部分を説明する。
図９（Ａ）は本発明の第５実施形態の上蓋の上面図、（Ｂ）は舌片及びその周辺の拡大上面図、（Ｃ）はｃ−ｃ線での縦断面図である。
【００２３】
図９（Ｃ）に示すように、上蓋２０は、嵌合当て付け面３８にドーム状の凸部３３を具え、凸部３３の頂部に舌片３４が形成されている。また、舌片３４を確実に開放することができるように、嵌合当て付け面２４に凸部２６を設けている。
この場合、煮汁が飛び跳ねるのは、主として、ドーム状の凸部３３の内部であるから、図９（Ｂ）のように、舌片３４の先端部は上蓋２０の中心側ではなく、時計回りに９０度回転した周方向であってもよい。
【００２４】
このような形状とすることで、煮汁が飛び跳ねる可能性がある食材を加熱調理した場合であっても、舌片３４に加えて、ドーム状の凸部３３により、煮汁が飛び跳ねるのを防止することができる。従って、より確実に電子レンジ内が汚れないようにすることが可能となる。
【００２５】
以上説明したように、本発明の電子レンジ調理用容器によれば、上蓋嵌合部の当て付け面に舌片が設けられていることで、蒸気の解放を行いつつ、煮汁の飛び跳ねを防止することができる。
また、舌片が確実に開放されるようにするには、
１．舌片の付け根に溝を設け、舌片の切り込み加工時に舌片が開くように加工する。
２．容器本体の当て付け面に舌片を押し開ける凸部を設ける。
３．舌片の先端部に本体当て付け面方向に向いた突起を設ける。
といった、様々な加工により対応することができる。
さらに、上蓋の当て付け面にドーム状の凸部を形成し、その頂部に舌片を設けるようにすることで、煮汁の飛び跳ねをドーム状の凸部で受け止め、電子レンジ内が汚れないようにすることが可能となる。
【符号の説明】
【００２６】
１０      電子レンジ調理用容器
２０      容器本体
２２      本体嵌合部
２４，３８      嵌合当て付け面
２６      凸部
３０      上蓋
３２      上蓋嵌合部
３３      ドーム状の凸部
３５，３５ａ，３５ｂ      溝
３７      突起
【図１】
2011027276.tif 000003
【図２】
2011027276.tif 000004
【図３】
2011027276.tif 000005
【図４】
2011027276.tif 000006
【図５】
2011027276.tif 000007
【図６】
2011027276.tif 000008
【図７】
2011027276.tif 000009
【図８】
2011027276.tif 000010
【図９】
2011027276.tif 000011
【手続補正書】
【提出日】平成21年9月28日(2009.9.28)
【手続補正１】
【補正対象書類名】特許請求の範囲
【補正対象項目名】請求項１
【補正方法】変更
【補正の内容】
【請求項１】
食材を収納する容器本体と該容器本体に嵌合される上蓋とからなる電子レンジ調理用容器であって、
前記容器本体は、上部に、全周に渡って平坦な嵌合当て付け面と該嵌合当て付け面の外周側端部から上下方向に延びる本体嵌合部とを具え、
前記上蓋は、下部に、全周に渡って平坦な嵌合当て付け面と該嵌合当て付け面の外周側端部から上下方向に延びる上蓋嵌合部とを具え、
前記上蓋の前記嵌合当て付け面に舌片が設けられていることを特徴とする、
電子レンジ調理用容器。
【手続補正２】
【補正対象書類名】明細書
【補正対象項目名】０００７
【補正方法】変更
【補正の内容】
【０００７】
本発明は、食材を収納する容器本体と該容器本体に嵌合される上蓋とからなる電子レンジ調理用容器であって、
前記容器本体は、上部に、全周に渡って平坦な嵌合当て付け面と該嵌合当て付け面の外周側端部から上下方向に延びる本体嵌合部とを具え、
前記上蓋は、下部に、全周に渡って平坦な嵌合当て付け面と該嵌合当て付け面の外周側端部から上下方向に延びる上蓋嵌合部とを具え、
前記上蓋の前記嵌合当て付け面に舌片が設けられていることを特徴とする電子レンジ調理用容器により前記課題を解決した。
【手続補正３】
【補正対象書類名】明細書
【補正対象項目名】００１１
【補正方法】変更
【補正の内容】
【００１１】
まず、本発明の第１実施形態について、図１及び図２により説明する。
図１（Ａ）は、本発明の第１実施形態の容器の分解上面図、（Ｂ）は、容器の縦断面図、図２は、容器の嵌合部の拡大縦断面図である。
図１（Ｂ）に示すように、この容器１０は、容器本体２０と上蓋３０からなり、
容器本体１０は上部に、上下方向に延びる本体嵌合部２２を具え、上蓋３０は下部に、同様に上下方向に延びる上蓋嵌合部３２を具え、本体嵌合部２２と上蓋嵌合部３２が嵌合されて両者は一体化される。
容器本体２０及び上蓋３０には、上下に対向する嵌合当て付け面２４及び３８がそれぞれ形成され、それぞれの嵌合当て付け面の外周側端部から上下方向に延びる本体嵌合部２２と上蓋嵌合部３２に、凹部２６と凸部３９がそれぞれ設けられているとともに、凹部２６の上には凸部２６’が、凸部３９の上には、凹部３９’がそれぞれ設けられている（図２参照）。
凸部３９が凹部２６と、凸部２６’が凹部３９’とそれぞれ嵌合することにより、凸部３９が凸部２６’により抜け止めされ、容器本体２０と上蓋３０が外れないようになっている。
嵌合当て付け面２４と３８は、全周に渡って平坦である。
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
食材を収納する容器本体と該容器本体に嵌合される上蓋とからなる電子レンジ調理用容器であって、
前記容器本体は、上部に、全周に渡って平坦な嵌合当て付け面と該嵌合当て付け面の外周側端部から上方向に延びる本体嵌合部とを具え、
前記上蓋は、下部に、全周に渡って平坦な嵌合当て付け面と該嵌合当て付け面の外周側端部から上方向に延びる上蓋嵌合部とを具え、
前記上蓋の前記嵌合当て付け面に、前記上蓋の外周側が固定され中心側が開く舌片が設けられていることを特徴とする、
電子レンジ調理用容器。
【請求項２】
食材を収納する容器本体と該容器本体に嵌合される上蓋とからなる電子レンジ調理用容器であって、
前記容器本体は、上部に、全周に渡って平坦な嵌合当て付け面と該嵌合当て付け面の外周側端部から上方向に延びる本体嵌合部とを具え、
前記上蓋は、下部に、全周に渡って平坦な嵌合当て付け面と該嵌合当て付け面の外周側端部から上方向に延びる上蓋嵌合部とを具え、
前記上蓋の嵌合当て付け面がドーム状の凸部を有し、該凸部の頂部に舌片が設けられていることを特徴とする、
電子レンジ調理用容器。
【請求項３】
前記容器本体の前記嵌合当て付け面に前記舌片を押し開ける凸部が設けられている、請求項１又は２の電子レンジ調理用容器。
【請求項４】
前記舌片の先端部に、前記容器本体の前記嵌合当て付け面に向いた突起が設けられている、請求項１の電子レンジ調理用容器。
【請求項５】
前記舌片の付け根に少なくとも１つの溝が設けられている、請求項１から４のいずれかの電子レンジ調理用容器。
【手続補正２】
【補正対象書類名】明細書
【補正対象項目名】０００７
【補正方法】変更
【補正の内容】
【０００７】
本発明は、第１に、食材を収納する容器本体と該容器本体に嵌合される上蓋とからなる電子レンジ調理用容器であって、
前記容器本体は、上部に、全周に渡って平坦な嵌合当て付け面と該嵌合当て付け面の外周側端部から上方向に延びる本体嵌合部とを具え、
前記上蓋は、下部に、全周に渡って平坦な嵌合当て付け面と該嵌合当て付け面の外周側端部から上方向に延びる上蓋嵌合部とを具え、
前記上蓋の前記嵌合当て付け面に、前記上蓋の外周側が固定され中心側が開く舌片が設けられていることを特徴とする電子レンジ調理用容器により、
第２に、食材を収納する容器本体と該容器本体に嵌合される上蓋とからなる電子レンジ調理用容器であって、
前記容器本体は、上部に、全周に渡って平坦な嵌合当て付け面と該嵌合当て付け面の外周側端部から上方向に延びる本体嵌合部とを具え、
前記上蓋は、下部に、全周に渡って平坦な嵌合当て付け面と該嵌合当て付け面の外周側端部から上方向に延びる上蓋嵌合部とを具え、
前記上蓋の嵌合当て付け面がドーム状の凸部を有し、該凸部の頂部に舌片が設けられていることを特徴とする電子レンジ調理用容器により前記課題を解決した。
なお、請求項３のように、容器本体の嵌合当て付け面に舌片を押し開ける凸部を設けておくと、容器本体に上蓋が嵌合されたとき、その凸部により、舌片が確実に開放されるようにすることができる。
また、請求項４のように、舌片の先端部に、容器本体の前記嵌合当て付け面に向いた突起を設ければ、上蓋の加工のみで舌片を確実に開放することができる。
さらに、請求項５のように、舌片の付け根に少なくとも１つ溝を設け、舌片が開き易くなるようにすると好適である。
【手続補正３】
【補正対象書類名】明細書
【補正対象項目名】００１１
【補正方法】変更
【補正の内容】
【００１１】
まず、本発明の第１実施形態について、図１及び図２により説明する。
図１（Ａ）は、本発明の第１実施形態の容器の分解上面図、（Ｂ）は、容器の縦断面図、図２は、容器の嵌合部の拡大縦断面図である。
図１（Ｂ）に示すように、この容器１０は、容器本体２０と上蓋３０からなり、容器本体１０は上部に、上方向に延びる本体嵌合部２２を具え、上蓋３０は下部に、同様に上方向に延びる上蓋嵌合部３２を具え、本体嵌合部２２と上蓋嵌合部３２が嵌合されて両者は一体化される。
容器本体２０及び上蓋３０には、上下に対向する嵌合当て付け面２４及び３８がそれぞれ形成され、それぞれの嵌合当て付け面の外周側端部から上方向に延びる本体嵌合部２２と上蓋嵌合部３２に、凹部２６と凸部３９がそれぞれ設けられているとともに、凹部２６の上には凸部２６’が、凸部３９の上には、凹部３９’がそれぞれ設けられている（図２参照）。
凸部３９が凹部２６と、凸部２６’が凹部３９’とそれぞれ嵌合することにより、凸部３９が凸部２６’により抜け止めされ、容器本体２０と上蓋３０が外れないようになっている。
嵌合当て付け面２４と３８は、全周に渡って平坦である。